(57)【特許請求の範囲】
【請求項１】
スイッチで選択された調整項目のレベルをメモリから読み出し、共通ボリュームの現在の目盛り位置と読み出したレベルから前記共通ボリュームの単位変化量に対する共通ボリュームの目盛り位置を上げる場合と下げる場合とで、ボリュームの変化量に対するレベルの変化量が異なるレベルの変化量の割合を算出し、前記共通ボリュームの上げ下げがあった場合に現在のレベルを前記メモリに保存することを特徴とするボリュームの制御方法。
【請求項２】
調整項目を選択するスイッチと、前記スイッチで選択された調整項目のレベルを保存するメモリと、共通ボリュームと、前記共通ボリュームの現在の目盛り位置および前記メモリから読み出した調整項目のレベルから前記共通ボリュームの単位変化量に対する共通ボリュームの目盛り位置を上げる場合と下げる場合とで、ボリュームの変化量に対するレベルの変化量が異なるレベルの変化量の割合を算出し且つ前記共通ボリュームの上げ下げがあった場合に現在のレベルを前記メモリに保存するレベル調整回路を備えたことを特徴とするボリュームの制御装置。
【請求項３】
調整項目を選択するスイッチと、前記スイッチで選択された調整項目のレベルを保存するメモリと、共通ボリュームと、前記共通ボリュームの現在の目盛り位置および前記メモリから読み出した調整項目のレベルから前記共通ボリュームの単位変化量に対する共通ボリュームの目盛り位置を上げる場合と下げる場合とで、ボリュームの変化量に対するレベルの変化量が異なるレベルの変化量の割合を算出し且つ前記共通ボリュームの上げ下げがあった場合に現在のレベルを前記メモリに保存するレベル調整回路を備えたことを特徴とする撮像装置。
【発明の詳細な説明】
【技術分野】
【０００１】
本発明は、ボリュームの制御方法、ボリュームの制御装置および撮像装置に関するものである。
【背景技術】
【０００２】
電子機器に用いられるアナログ量調整ボリュームは、複雑な操作をすることなく設定値を調整できるため、様々な電子機器に広く利用されている。従来の調整用ボリュームは、調整項目数と同じ数だけ必要となるため、調整項目数が多いほどボリューム数も多く配置しなければならなかった。しかしながら、電子機器は小型化が求められ、配置できるボリューム数に限界がある。
【０００３】
そこで、既存技術として、複数の調整項目をスイッチとボリュームを組み合わせて調整することにより上記の問題を解決する方法が既に提案されている（例えば、特許文献１参照）。
【０００４】
【特許文献１】特開平８−８６６３号公報
【発明の開示】
【発明が解決しようとする課題】
【０００５】
しかしながら、従来技術にあっては、ボリュームの単位変化量に対するレベルの変化量が常に一定なため、ボリューム調整でレベルの全レンジをカバーできない場合があった。
【０００６】
本発明の目的は、調整項目よりも少ないボリューム数で各調整項目のレベルの全レンジをカバーすることが可能なボリュームの制御方法、ボリュームの制御装置および撮像装置を提供することにある。
【課題を解決するための手段】
【０００７】
本発明は、スイッチで選択された調整項目のレベルをメモリから読み出し、共通ボリュームの現在の目盛り位置と読み出したレベルから前記共通ボリュームの単位変化量に対するレベルの変化量の割合を算出し、前記共通ボリュームの上げ下げがあった場合に現在のレベルを前記メモリに保存することを特徴とするボリュームの制御方法である。
【０００８】
また本発明は、調整項目を選択するスイッチと、前記スイッチで選択された調整項目のレベルを保存するメモリと、共通ボリュームと、前記共通ボリュームの現在の目盛り位置および前記メモリからメモリから読み出した調整項目のレベルから前記共通ボリュームの単位変化量に対するレベルの変化量の割合を算出し且つ前記共通ボリュームの上げ下げがあった場合に現在のレベルを前記メモリに保存するレベル調整回路を備えたことを特徴とするボリュームの制御装置である。
【０００９】
さらに本発明は、調整項目を選択するスイッチと、前記スイッチで選択された調整項目のレベルを保存するメモリと、共通ボリュームと、前記共通ボリュームの現在の目盛り位置および前記メモリからメモリから読み出した調整項目のレベルから前記共通ボリュームの単位変化量に対するレベルの変化量の割合を算出し且つ前記共通ボリュームの上げ下げがあった場合に現在のレベルを前記メモリに保存するレベル調整回路を備えたことを特徴とする撮像装置である。
【発明の効果】
【００１０】
本発明は、スイッチと共通ボリュームの組み合わせた制御により、調整項目よりも少ないボリューム数で各調整項目のレベルの全レンジをカバーすることが可能なボリュームの制御方法、ボリュームの制御装置および撮像装置を得ることができる。
【発明を実施するための最良の形態】
【００１１】
図１は、本発明によるボリュームの制御方法の一例を有するボリュームの制御装置の実施の形態の構成図である。
【００１２】
図１において、１０は一つの調整項目Ａに対する調整回路Ａであり、アンプ１１と電子ボリューム１２とアンプ１３の直列回路と、メモリ１４と、メモリ１４と電子ボリューム１２に接続されたレベル調整回路１５とを有する。
【００１３】
図１において、２０はもう一つの調整項目Ｂに対する調整回路Ｂであり、アンプ２１と電子ボリューム２２とアンプ２３の直列回路と、メモリ２４と、メモリ２４と電子ボリューム２２に接続されたレベル調整回路２５とを有する。
【００１４】
図１において、３０は共通ボリューム、３１はスイッチである。スイッチ３１は、接点Ａがレベル調整回路１５に接続され、接点Ｂがレベル調整回路２５に接続され、接点Ｃが共通ボリューム３０の可動端子に接続され、調整項目をスイッチ３１で切り替えた際、接点Ｃと接続の可動片Ｄが、接点Ａから接点Ｂへ又はその逆の接点Ｂから接点Ａへと接続が切り替わる。
【００１５】
図２は、図１におけるボリュームの制御方法の一例を示すフローチャート図である。
【００１６】
まず、スイッチ３１によって現在選択されている調整項目のレベルをメモリから読み出す（Ｓ２０１）。図１でいえば、調整項目Ａのレベルをレベル調整回路１５がメモリ１４から読み出す。
【００１７】
次に、レベル調整回路１５が、共通ボリューム３０の現在の目盛り位置と読み出したレベルから、共通ボリューム３０の目盛り位置を上げ下げする際の単位変化量に対するレベルの変化量の割合を算出する（Ｓ２０２）。そして、算出した単位変化量に対するレベルの変化量の割合を電子ボリューム１２に供給して電子ボリューム１２のレベルを決める。
【００１８】
次に、レベル調整回路１５が、共通ボリューム３０の目盛り位置が上げ下げされたか、即ち操作者によって共通ボリューム３０が操作されたかを共通ボリューム３０から読み取って判断する（Ｓ２０３）。
【００１９】
Ｓ２０３でＹＥＳの場合は、レベル調整回路１５が、現在の調整項目のレベルをメモリ１４に保存する（Ｓ２０４）と共に、共通ボリューム３０の現在の目盛り位置と読み出したレベルから、共通ボリューム３０の目盛り位置を上げ下げする際の単位変化量に対するレベルの変化量の割合を算出する（Ｓ２０２に戻る）。
【００２０】
Ｓ２０３でＮＯの場合は、レベル調整回路１５が、調整項目がスイッチ３１で切り替えられたかをスイッチ３１から読み取って判断する（Ｓ２０５）。
【００２１】
Ｓ２０５でＮＯの場合は、レベル調整回路１５が、共通ボリューム３０の目盛り位置を上げ下げしたかを共通ボリューム３０から読み取って判断する（Ｓ２０３に戻る）。
【００２２】
Ｓ２０５でＹＥＳの場合は、調整項目がスイッチ３１で切り替えられる直前の共通ボリューム３０の目盛り位置のレベル、即ち切り替えられる直前の調整項目のレベルをレベル調整回路１５が読み取り、その値をメモリ１４に保存する（Ｓ２０６）。
【００２３】
そして、その後、Ｓ２０１に戻って、スイッチ３１で選択された調整項目、即ちこの例では調整項目Ｂのレベルをメモリ２４から読み出し、Ｓ２０２以降の処理を繰り返す。
【００２４】
図３Ａ〜図３Ｅは、本発明の具体的動作例を示す図である。３０は共通ボリューム、３１はスイッチである。図３Ａ〜図３Ｅでは、理解の便宜のため、各調整項目のレベルと共通ボリューム３０の目盛りの最大値を全て同数（図の例では６）とした。
【００２５】
図３Ａでは、スイッチ３１がＡ側とされ、共通ボリューム３０の目盛り位置が２とされている。レベル調整回路１５はこのときの調整項目Ａのレベル（２）を読み取り、メモリ１４に保存する。
【００２６】
図３Ｂは、スイッチ３１がＢ側とされ、さらに共通ボリューム３０の目盛り位置が２から４に変更された状態を示している。レベル調整回路２５はこのときの調整項目Ｂのレベル（４）を読み取り、メモリ２４に保存する。
【００２７】
図３Ｃは、調整項目がスイッチ３１でＢ側からＡ側に切り替えられた場合を示している。スイッチ３１が切り替えられたことにより、調整項目Ａのレベルとして、メモリ１４に保存したレベル（２）が読み出されるため、共通ボリューム３０の目盛り位置が４であるのに対し、調整項目Ａのレベルは２とされる。
【００２８】
ここで、レベル調整回路１５は、共通ボリューム３０の目盛り位置を上げ下げする際の単位変化量に対する調整項目のレベルの変化量の割合を算出する。
【００２９】
共通ボリューム３０の目盛り位置を上げる場合、ボリュームの変化量に対するレベルの変化量は（１）式で表される。
【００３０】
【数１】
0004745090.tif 000002
【００３１】
また、共通ボリューム３０の目盛り位置を下げる場合、ボリュームの変化量に対するレベルの変化量は（２）式で表される。
【００３２】
【数２】
0004745090.tif 000003
【００３３】
（１）式、（２）式より、共通ボリューム３０の目盛り位置を上げる場合と下げる場合とで、ボリュームの変化量に対するレベルの変化量が異なることがわかる。
【００３４】
図３Ｄは、共通ボリューム３０の目盛り位置が２に下げられた場合を示し、このときのレベルは１となる。
【００３５】
ここで、図１のレベル調整回路１５が、共通ボリューム３０の目盛り位置を上げ下げする際の単位変化量に対するレベルの変化量の割合を変える算出を行う。
【００３６】
共通ボリューム３０の目盛り位置を上げる場合、ボリュームの変化量に対するレベルの変化量は（３）式で表される。
【００３７】
【数３】
0004745090.tif 000004
【００３８】
尚、共通ボリューム３０の目盛り位置を下げる場合、ボリュームの変化量に対するレベルの変化量は上記（２）式で表される。即ち共通ボリューム３０が操作されたときは、その操作方向と逆方向に操作する際のレベル変化量のみを算出し直せばよい。そうすることで、レベル調整回路１５の演算量を低減することができる。
【００３９】
図３Ｅは、共通ボリューム３０の目盛り位置が４に上げられた場合を示し、このときのレベルは３．５となる。
【００４０】
ここで、図１のレベル調整回路１５が、共通ボリューム３０の目盛り位置を上げ下げする際の単位変化量に対するレベルの変化量の割合を変える算出を行う。
【００４１】
共通ボリューム３０の目盛り位置を上げる場合、ボリュームの変化量に対するレベルの変化量は上記（３）式で表される。
【００４２】
共通ボリューム３０の目盛り位置を下げる場合、ボリュームの変化量に対するレベルの変化量は（４）式で表される。
【００４３】
【数４】
0004745090.tif 000005
【００４４】
上記のように、共通ボリューム３０の目盛り位置の上げ下げを繰り返すことにより、共通ボリューム３０の単位変化量に対するレベルの変化量を図３Ａの１：１に近似させることができる。また、共通ボリューム３０の目盛り位置を最大か最小の位置にすることにより、共通ボリューム３０の単位変化量に対するレベルの変化量を図３Ａの１：１に戻すことができる。
【００４５】
図４は、本発明によるボリュームの制御装置を備えたカメラ（撮像装置）を含むカメラシステムの一例を示す図である。
【００４６】
図４のカメラシステムにおいては、インカム（Intercommunication）の音量調整とグラチキュールの調整を行うことができるカメラシステムである。この２つの調整を、上記の共通ボリューム３０とスイッチ３１で行う。
【００４７】
図４において、４０はカメラ、５０はトライアックス・ベースステーションであり、カメラ４０とトライアックス・ベースステーション５０をケーブル５１で接続し、カメラ４０にヘッドセット５２を接続し、トライアックス・ベースステーション５０にヘッドセット５３を接続して、ヘッドセット５２，５３間で音声通話するインカム（Intercommunication）を構成している。この音声通話の音量を調整する。
【００４８】
図４において、カメラ４０はカメラ４０に取り付けたビューファインダ４１の表示画面４２内に、図５で図示のように、撮影する映像の他例えば時刻表示用の枠４３を表示するグラチキュール機能を備えている。この時刻表示用の枠４３に所望の映像（例えば人物）が被らないように、カメラマンはカメラの画角を操作する。
【００４９】
このようなカメラシステムにおいて、図４に示すカメラ４０の背面は種々のスイッチ類が配置されるためスペース的余裕が少ないが、共通ボリューム３０とスイッチ３１を配置し、図１におけるその他の部分をカメラ内部に設けることにより、カメラ４０の背面の狭いスペースにおいて、スイッチ３１をＡ側に切り替え、共通ボリューム３０の目盛り位置を上げ下げすることで、インカムの音量調整を行い、スイッチ３１をＢ側に切り替え、共通ボリューム３０の目盛り位置を上げ下げすることで、グラチキュール機能の例としての時刻表示用の枠４３の位置を上下方向に調整することができる。即ち、調整項目の数よりも少ないボリューム数で各調整項目のレベルの全レンジをカバーすることができる。
【００５０】
尚、図４では、時刻表示用の枠４３を上下方向に調整する場合であるが、もう一組の共通ボリューム３０とスイッチ３１を取り付けて、時刻表示用の枠４３を左右方向にも調整するようにしてもよい。また、スイッチ３１で選択できる調整項目を３つ以上とし、１個の共通ボリューム３０で３つ以上の調整項目を調整するようにしてもよい。
【００５１】
また図４では、カメラ４０の背面に、共通ボリューム３０とスイッチ３１を取り付けた場合であるが、カメラ４０の背面ではなく、例えばリモコンに取り付けるようにしてもよい。
【図面の簡単な説明】
【００５２】
【図１】本発明によるボリュームの制御方法の一例を有するボリュームの制御装置の実施の形態の構成図である。
【図２】図１におけるボリュームの制御方法の一例を示すフローチャート図である。
【図３Ａ】本発明の具体的動作例を示す図である。
【図３Ｂ】本発明の具体的動作例を示す図である。
【図３Ｃ】本発明の具体的動作例を示す図である。
【図３Ｄ】本発明の具体的動作例を示す図である。
【図３Ｅ】本発明の具体的動作例を示す図である。
【図４】本発明によるボリュームの制御装置を備えたカメラ（撮像装置）を含むカメラシステムの一例を示す図である。
【図５】図４におけるカメラ（撮像装置）に取り付けられたビューファインダの表示画面の一例を示す図である。
【符号の説明】
【００５３】
１０：調整項目Ａに対する調整回路Ａ、１１：アンプ、１２：電子ボリューム、１３：アンプ、１４：メモリ、１５：レベル調整回路、２０：調整項目Ｂに対する調整回路Ｂ、２１：アンプ、２２：電子ボリューム、２３：アンプ、２４：メモリ、２５：レベル調整回路、３０：共通ボリューム、３１：スイッチ、４０：カメラ（撮像装置）、４１：ビューファインダ、４２：表示画面、４３：時刻表示用の枠、５０：トライアックス・ベースステーション、５１：ケーブル、５２，５３：ヘッドセット。
【図１】
0004745090.tif 000006
【図２】
0004745090.tif 000007
【図３Ａ】
0004745090.tif 000008
【図３Ｂ】
0004745090.tif 000009
【図３Ｃ】
0004745090.tif 000010
【図３Ｄ】
0004745090.tif 000011
【図３Ｅ】
0004745090.tif 000012
【図４】
0004745090.tif 000013
【図５】
0004745090.tif 000014